(57)【特許請求の範囲】
【請求項１】
化粧パネルの四辺に吹出口を設け、同吹出口の略中間に、両端の一側寄りに外周に突起を形成した支持板を有し、同支持板を夫々前記吹出口の両側壁に軸支された下風向板を設け、同下風向板の上面に重なるように、両端の一側寄りに外周に突起を形成した支持板を有し、同支持板を夫々前記吹出口の両側壁に前記下風向板と同軸上に軸支された上風向板を設け、前記下風向板と上風向板とを重なる方向にバネで付勢する一方、前記二つの突起の間に、同突起に係合しモータにて作動する作動桿を設け、同作動桿をカムに立設し、同カムをモータにより駆動し、前記吹出口の一側壁に、水平吹出状態のとき前記下風向板の回動を規制する下ストッパーと、垂直吹出状態のとき前記上風向板の回動を規制する上ストッパーとを設けてなる天埋型空気調和機において、
前記カムの駆動軸の先端にジョイントの一端を接続し、同ジョイントの他端を隣接するカムの駆動軸と接続し、各々隣接する前記下風向板と上風向板を、一個のモータで回動してなることを特徴とする天埋型空気調和機。
【請求項２】
前記モータと前記カムが、回転伝達機構を介し連係されていることを特徴とする請求項１記載の天埋型空気調和機。
【請求項３】
前記カムの駆動軸の基端に、前記回転伝達機構の一端を連係してなることを特徴とする請求項１記載の天埋型空気調和機。
【請求項４】
前記カムの外周に、前記回転伝達機構の一端を連係してなることを特徴とする請求項１記載の天埋型空気調和機。
【請求項５】
前記回転伝達機構が、歯車によりなることを特徴とする請求項２または請求項３記載の天埋型空気調和機。
【請求項６】
前記ジョイントが、ユニバーサルジョイントであることを特徴とする請求項１乃至請求項４記載の天埋型空気調和機。
【請求項７】
前記ジョイントが、フレキシブルジョイントであることを特徴とする請求項１乃至請求項４記載の天埋型空気調和機。
【請求項８】
前記上ストッパまたは下ストッパが、マイクロスイッチであり、同マイクロスイッチの接点により、前記作動桿のモータの回動方向を切換えてなることを特徴とする請求項１記載の天埋型空気調和機。
【発明の詳細な説明】
【０００１】
【発明の属する技術分野】
本発明は天埋型空気調和機に係り、室内側空気吹出口に配設する風向板に関する。
【０００２】
【従来の技術】
図４は、従来の天埋型空気調和機の一例を示す断面図、図５は、従来の天埋型空気調和機の一例を示す下面図、図６は、従来の天埋型空気調和機の一例で、風向板が重ね合わせ状態（ａ）から垂直吹出状態（ｂ）に変わる場合の吹出口の要部拡大説明図である。
以下図面を参照しながら、従来の天埋型空気調和機について説明する。
図において１は遠心式の送風機であり、２は送風機１と所定の間隔をもって配設された熱交換器であり、３は送風機１と熱交換器２とを内部に収納する箱体であり、４は箱体３の内部に配設された露受皿であり、５は天井材であり、６は室内に露出させた化粧パネルであり、吸込口７と吹出口８を設けている。
８ａは吹出口８の天井面に沿わせた側壁であり、９ａは上風向板、９ａ１はその支持板、９ｂは下風向板、９ｂ１はその支持板、１０は風向板を支持する回転軸１０である。
【０００３】
前記吹出口８の内部の略中央には、断面が略円弧状の前記風向板を上風向板９ａと下風向板９ｂの２枚で構成している。
そして、各々の上風向板９ａと下風向板９ｂの両側に略直角に設けた支持板９ａ１、９ｂ１に形成された透孔９ａ２、９ｂ２と前記吹出口８の両側壁８ａに形成された取付孔８ａ１とに回転軸１０を挿通し回動自在に軸支している。
また、前記上風向板９ａと下風向板９ｂとを一方向に重ね合わせるバネによる付勢手段を設ける一方、同バネに対抗し前記上風向板９ａと下風向板９ｂとの成す角度を所定角だけ開く駆動手段を設けることにより、前記吹出口の開口面積を可変してなるようにする。
【０００４】
ここで、前記駆動手段について説明する。
先ず、前記上風向板９ａおよび下風向板９ｂの一側に、同一半径で略円板状に各々形成された支持板９ａ１、９ｂ１と、前記下風向板９ｂの上下方向と略直角な斜め上方向に支持板９ｂ１の外周部から遠心方向に突出する下突起９ｂ３と、前記上風向板９ａの上下方向と略平行方向に支持板９ａ１の外周部から遠心方向に突出する上突起９ａ３とを設ける。
【０００５】
次いで、同下突起９ｂ３と前記上突起９ａ３の間の前記支持板９ａ１、９ｂ１の外周部に沿って前記バネに対抗し所定角だけ回動する作動桿１１と、同作動桿１１が円板状に形成されたカム１２の外周部分に直角に立設され、中心部に駆動軸１３を有し、同駆動軸１３が前記吹出口８の一側壁８ａと平行に前記化粧パネル６に立設された軸受１８により軸支されるモータを設ける。
【０００６】
そして、前記吹出口８の一側壁８ａの所定の位置に配設され、水平吹出状態のとき前記下風向板９ｂの回動を規制する下ストッパ１５ｂとしてのマイクロスイッチと、前記吹出口８の他側壁８ａの所定の位置に配設され、垂直吹出状態のとき前記上風向板９ａの回動を規制する上ストッパ１５ａとしてのマイクロスイッチと、前記カム１２の駆動軸１３に接続されたモータ１４とを設ける。
【０００７】
上記のように構成した後、前記モータ１４により、前記カム１２の駆動軸１３が回動して前記作動桿１１が、図上で時計方向、または反時計方向に回動する。
【０００８】
一方、前記付勢手段について説明する。
中央に前記下風向板９ｂ、上風向板９ａの同一回転軸１０を挿通する貫通孔１６ａを有し、両端に前記下風向板９ｂと上風向板９ａの各々の支持板９ｂ１、９ａ１の下突起９ｂ３、上突起９ａ３に端部を固着される支持アーム１６ｂを有するコイルバネ１６を設けている。
【０００９】
そして、中央に前記下風向板９ｂ、上風向板９ａの同一回転軸１０を挿通する貫通孔１６ａを有し、両端に前記下風向板９ｂと上風向板９ａの各々の支持板９ｂ１、９ａ１の下突起９ｂ３、上突起９ａ３に端部を固着される支持アーム１６ｂを有するコイルバネ１６を設けているので、前記上風向板９ａおよび下風向板９ｂを、重ね合わせた状態が継続する。
【００１０】
ところで、前記下風向板９ｂ、上風向板９ａは、前記化粧パネル６の四辺の吹出口８に各々設けてあり、これらを駆動するため、前記カム１２の駆動軸１３に直結して各々モータ１４を設け、直接駆動していた。
【００１１】
このため、４個のモータ１４を必要とし、材料費、組立費用が高くなる一方、信頼性が低下するおそれとなる問題があった。
一方、前記コイルバネ１６の取付に時間がかかり、前記上ストッパ１５ａ、下ストッパ１５ｂとしてのマイクロスイッチが充分に利用されない問題があった。
【００１２】
【発明が解決しようとする課題】
本発明の目的は、前記化粧パネルの四辺の吹出口に各々設けた前記風向板を駆動するモータの個数を少なくするとともに、前記風向板のバネの付勢を簡単にし、ストッパ部品の有効活用を図り、材料費、工数を削減した天埋型空気調和機を提供することにある。
【００１３】
【課題を解決するための手段】
本発明は、上述の課題を解決するため、化粧パネルの四辺に吹出口を設け、同吹出口の略中間に、両端の一側寄りに外周に突起を形成した支持板を有し、同支持板を夫々前記吹出口の両側壁に軸支された下風向板を設け、同下風向板の上面に重なるように、両端の一側寄りに外周に突起を形成した支持板を有し、同支持板を夫々前記吹出口の両側壁に前記下風向板と同軸上に軸支された上風向板を設け、前記下風向板と上風向板とを重なる方向にバネで付勢する一方、前記二つの突起の間に、同突起に係合しモータにて作動する作動桿を設け、同作動桿をカムに立設し、同カムをモータにより駆動し、前記吹出口の一側壁に、水平吹出状態のとき前記下風向板の回動を規制する下ストッパーと、垂直吹出状態のとき前記上風向板の回動を規制する上ストッパーとを設けてなる天埋型空気調和機において、前記カムの駆動軸の先端にジョイントの一端を接続し、同ジョイントの他端を隣接するカムの駆動軸と接続し、各々隣接する前記下風向板と上風向板を、一個のモータで回動してなるようにする。
【００１４】
そして、前記モータと前記カムが、回転伝達機構を介し連係されているようにする。
また、前記カムの駆動軸の基端に、前記回転伝達機構の一端を連係してなるようにする。
あるいは、前記カムの外周に、前記回転伝達機構の一端を連係してなるようにする。
さらに、前記回転伝達機構が、歯車によりなるようにする。
【００１５】
そして、前記ジョイントが、ユニバーサルジョイントであるようにする。
あるいは、前記ジョイントが、フレキシブルジョイントであるようにする。
さらに、前記上ストッパまたは下ストッパが、マイクロスイッチであるようにし、同マイクロスイッチの接点により、前記作動桿のモータの回動方向を切換えてなるようにする。
。
【００１６】
【発明の実施の形態】
図１は、本発明の一実施例による隣接した風向板の駆動軸接続を示す説明図、図３は、本発明の一実施例による風向板が水平吹出状態（ａ）と垂直吹出状態（ｂ）のときの上ストッパ、下ストッパ（マイクロスイッチ）を示す説明図である。
以下、図面に基づいて本発明による天埋型空気調和機の実施例を詳細に説明する。
なお、従来と同じ部分の符号は同一とする。
また、従来と同じ構成の部分は、説明を省略する。
【００１７】
本発明により、前記カム１２の駆動軸１３の基端に、歯車によりなる回転伝達機構１９を介しモータ１４を連係し、他端にジョイント１７であるユニバーサルジョイントの一端を接続し、同ジョイント１７の他端を隣接したカム１２の駆動軸１０と接続する。
そして、各々隣接する前記下風向板９ａと上風向板９ａを、一個のモータ１４で回動している。
【００１８】
また、前記カム１２の駆動軸１３の基端に、回転伝達機構１９を介しモータ１４を連係してなるようにする。
また、前記上ストッパ１５ａ、下ストッパ１５ｂであるマイクロスイッチの接点により、前記作動桿１１のモータの回動方向を切換えてなるようにする。
なお、前記回転伝達機構１９は、この実施例では歯車による機構としたが、本発明は、この機構に限定されるものではない。
【００１９】
他方、図２は、本発明の他の実施例による隣接した風向板の駆動軸接続を示す説明図であり、図に示すように、前記ジョイント１７が、フレキシブルジョイントであるようにしてもよい。
また、前記カム１２の外周に、前記回転伝達機構の一端を連係してなるようにしてもよい。
【００２０】
以上のように構成された天埋型空気調和機について以下その動作を説明する。
前記モータ１４の駆動力は、回転伝達機構１９を介して前記カム１２の駆動軸１３の基端に伝わり、さらに前記ジョイント１７を通じて、隣接したカムの駆動軸１０にも伝達される。
このようにして、前記モータ１４は、１個で隣接する前記下風向板９ｂと上風向板９ａを回動することができる。
【００２１】
【発明の効果】
以上に説明したように、化粧パネルの四辺に吹出口を設け、同吹出口の略中間に、両端の一側寄りに外周に突起を形成した支持板を有し、同支持板を夫々前記吹出口の両側壁に軸支された下風向板を設け、同下風向板の上面に重なるように、両端の一側寄りに外周に突起を形成した支持板を有し、同支持板を夫々前記吹出口の両側壁に前記下風向板と同軸上に軸支された上風向板を設け、前記下風向板と上風向板とを重なる方向にバネで付勢する一方、前記二つの突起の間に、同突起に係合しモータにて作動する作動桿を設け、同作動桿をカムに立設し、同カムをモータにより駆動し、前記吹出口の一側壁に、水平吹出状態のとき前記下風向板の回動を規制する下ストッパーと、垂直吹出状態のとき前記上風向板の回動を規制する上ストッパーとを設けてなる天埋型空気調和機において、前記カムの駆動軸の先端にジョイントの一端を接続し、同ジョイントの他端を隣接するカムの駆動軸と接続し、各々隣接する前記下風向板と上風向板を、一個のモータで回動してなるようにした。
この結果、前記化粧パネルの四辺の吹出口に各々設けた前記風向板を駆動するモータの個数を少なくするとともに、前記風向板のバネの付勢を簡単にし、回動方向の切り換えを容易にして、材料費、工数を削減した天埋型空気調和機を提供することができる。
【図面の簡単な説明】
【図１】本発明の一実施例による隣接した風向板の駆動軸連係を示す説明図である。
【図２】本発明の他の実施例による隣接した風向板の駆動軸連係を示す説明図である。
【図３】本発明の一実施例による風向板が水平吹出状態（ａ）と垂直吹出状態（ｂ）のときの上ストッパ、下ストッパ（マイクロスイッチ）を示す説明図である。
【図４】従来の天埋型空気調和機の一例を示す断面図である。
【図５】従来の天埋型空気調和機の一例を示す下面図である。
【図６】従来の天埋型空気調和機の一例で、風向板が重ね合わせ状態（ａ）から垂直吹出状態（ｂ）に変わる場合の吹出口の要部拡大説明図である。
【符号の説明】
９ａ  上風向板
９ａ１  支持板
９ａ２  透孔
９ａ３  上突起
９ｂ  下風向板
９ｂ１  支持板
９ｂ２  透孔
９ｂ３  下突起
１０  回転軸
１１  作動桿
１２  カム
１３  駆動軸
１４  モータ
１５ａ  上ストッパ
１５ｂ  下ストッパ
１６  コイルバネ
１７  ジョイント
１８  軸受
１９  回転伝達機構
【図１】
0003719472.tif 000002
【図２】
0003719472.tif 000003
【図３】
0003719472.tif 000004
【図４】
0003719472.tif 000005
【図５】
0003719472.tif 000006
【図６】
0003719472.tif 000007